(57)【要約】【課題】復調器が信号を適切に復調しているか否かを適切に監視すること。【解決手段】復調器のモニタリングは、復調モジュールからの第１信号及び第２信号を受信するステップと、第１信号及び第２信号間に相対的な遅延を導入するステップと、第１信号及び第２信号を非同期にサンプリングし、複数のサンプルを用意するステップとを、復調器の１つ以上の復調モジュール中の復調モジュール各々について反復するステップを含む。１つ以上の復調モジュールに関連する複数のサンプルを表現するイメージデータが生成される。イメージデータは復調器の１つ以上のミスマッチを示す。【選択図】図２
2008092573.tif 000002
【特許請求の範囲】
【請求項１】
復調器をモニタするモニタリングシステムであって、
１つ以上のモニタリングモジュールと、
１つ以上のモニタプロセッサと、
を有し、１つのモニタリングモジュールは、復調器の１つ以上の復調モジュール中の１つの復調モジュールを監視し、前記モニタリングモジュールは、
前記復調モジュールからの第１信号及び第２信号を受信する複数の経路と、
前記第１信号及び前記第２信号間に相対的な遅延を導入する遅延要素と、
前記第１信号及び前記第２信号を非同期にサンプリングし、複数のサンプルを用意する複数のサンプラと、
を有し、前記１つ以上のモニタプロセッサは、前記１つ以上のモニタリングモジュールからの複数のサンプルを表現するイメージデータを生成し、前記イメージデータは前記復調器の１つ以上のミスマッチを示すようにしたモニタリングシステム。
【請求項２】
前記第１信号及び前記第２信号が、あるデータレートを有し、
前記複数のサンプラが、前記データレートより遅いサンプリングレートで非同期にサンプリングを行う請求項１記載のモニタリングシステム。
【請求項３】
前記第１信号が第１波形を有し、
前記第２信号が第２波形を有し、
前記相対的な遅延が、前記第１波形の第１ポイントで且つ前記第２波形の第２ポイントでサンプリングすることを可能にし、前記第１ポイントは前記第２ポイントとは異なる請求項１記載のモニタリングシステム。
【請求項４】
前記イメージデータは、リファレンスグラフと比較されるテストグラフを生成し、前記リファレンスグラフは１つ以上のマッチした特性を示し、前記テストグラフ及び前記リファレンスグラフ間の相違は、前記１つ以上のミスマッチの内の１つのミスマッチを示す請求項１記載のモニタリングシステム。
【請求項５】
前記第１信号が前記復調モジュールの第１ディテクタから受信され、
前記第２信号が前記復調モジュールの第２ディテクタから受信され、
前記イメージデータはテストグラフを生成し、前記テストグラフは、
前記第１ディテクタに対応する第１座標軸と、
前記第２ディテクタに対応する第２座標軸と、
を有する請求項１記載のモニタリングシステム。
【請求項６】
前記イメージデータがテストグラフを生成し、前記テストグラフは複数の軸線を含み、１つの軸線は前記第１信号及び前記第２信号のビットシーケンスを表現する請求項１記載のモニタリングシステム。
【請求項７】
復調器をモニタするモニタリング方法であって、
前記復調モジュールからの第１信号及び第２信号を受信するステップと、前記第１信号及び前記第２信号間に相対的な遅延を導入するステップと、前記第１信号及び前記第２信号を非同期にサンプリングし、複数のサンプルを用意するステップとを、復調器の１つ以上の復調モジュール中の復調モジュール各々について反復するステップと、
１つ以上の復調モジュールに関連する複数のサンプルを表現するイメージデータを生成するステップと、
を有し、前記イメージデータは前記復調器の１つ以上のミスマッチを示すようにしたモニタリング方法。
【請求項８】
前記第１信号及び前記第２信号が、あるデータレートを有し、
前記第１信号及び前記第２信号を非同期にサンプリングするステップでは、前記データレートより遅いサンプリングレートで非同期にサンプリングを行う請求項７記載のモニタリング方法。
【請求項９】
前記第１信号が第１波形を有し、
前記第２信号が第２波形を有し、
前記相対的な遅延が、前記第１波形の第１ポイントで且つ前記第２波形の第２ポイントでサンプリングすることを可能にし、前記第１ポイントは前記第２ポイントとは異なる請求項７記載のモニタリング方法。
【請求項１０】
復調器をモニタするモニタリングシステムであって、
前記復調モジュールからの第１信号及び第２信号を受信すること、前記第１信号及び前記第２信号間に相対的な遅延を導入すること、前記第１信号及び前記第２信号を非同期にサンプリングし、複数のサンプルを用意することを、復調器の１つ以上の復調モジュール中の復調モジュール各々について反復する手段と、
１つ以上の復調モジュールに関連する複数のサンプルを表現するイメージデータを生成する手段と、
を有し、前記イメージデータは前記復調器の１つ以上のミスマッチを示すようにしたモニタリングシステム。
【発明の詳細な説明】
【技術分野】
【０００１】
本発明は一般に信号通信の技術分野に関連し、特に差動位相シフトキーイング復調信号を監視することに関連する。
【背景技術】
【０００２】
複数の信号は差動位相シフトキーイング(DPSK)変調方式に従って変調されてもよい。この技術では、信号の位相変化が、ビットデータを表現するのに使用される。送信機側の変調器は、あるビットシーケンスをそのビットシーケンスを表現する位相変化に変換する。受信機側の復調器はその位相変化を変換し、ビットシーケンスを取り出す。
【０００３】
復調器が信号を適切に復調しているか否かを判定するために、復調器は監視されてもよい。復調器を監視する技法が知られてはいるが、それは状況によっては満足のゆくものではない。申し分のない復調器の監視方法が一般に望まれている。
【発明の開示】
【発明が解決しようとする課題】
【０００４】
本発明の課題は、復調器が信号を適切に復調しているか否かを適切に監視することである。
【課題を解決するための手段】
【０００５】
本発明では、復調器を監視する従来法に関連する欠点及び問題点が軽減又は解消される。
【０００６】
本発明の一実施例によれば、復調器のモニタリングは、前記復調モジュールからの第１信号及び第２信号を受信するステップと、前記第１信号及び前記第２信号間に相対的な遅延を導入するステップと、前記第１信号及び前記第２信号を非同期にサンプリングし、複数のサンプルを用意するステップとを、復調器の１つ以上の復調モジュール中の復調モジュール各々について反復するステップを含む。１つ以上の復調モジュールに関連する複数のサンプルを表現するイメージデータが生成される。前記イメージデータは前記復調器の１つ以上のミスマッチを示す。
【発明を実施するための最良の形態】
【０００７】
本発明の実施例は１つ以上の技術的利点をもたらす。一実施例による技術的利点は、信号のデータレートより遅いレートで復調信号を非同期にサンプリングすることで、復調器が監視されることである。低いレートでのサンプリングは、モニタリングシステムのタイミング条件に要求をほとんど出さない。
【０００８】
一実施例による別の技術的利点は、復調器の様々なタイプのミスマッチが検出されることである。例えば、ビットレートミスマッチ、復調器の位相ミスマッチ、検出器の遅延ミスマッチ及び／又は振幅不均衡等が検出されてもよい。
【０００９】
本発明の実施例は上記の技術的利点の全部又は一部を含むかもしれないし、全く含まないかもしれない。１つ以上の他の技術的利点は、本願明細書、特許請求の範囲及び図面から当業者にとって明瞭になるであろう。
【００１０】
本発明並びにその特徴及び利点の理解のより一層の完全を期するため、添付図面を参照しながら以下の説明が参照される。
【実施例１】
【００１１】
本発明の実施例及びその利点は図１乃至図１０を参照することで最良に理解されるであろう。図中同様な及び関連する部分については同様な番号が使用される。
【００１２】
図１は、差動位相シフトキーイング(DPSK)変調方式により信号を通信するシステムの一例を示すブロック図である。本実施例では、システム１０の復調器３２の特性は、有効な復調をもたらすように合わせられている。例えば復調器３２の変調器アームの遅延は、信号のデータレートの逆数に合わせられてもよい。その特性が適切に合致していなければ、ミスマッチが生じるおそれがある。システム１０はモニタリングシステム３６を含み、ミスマッチを検出するために復調器３２を監視する。
【００１３】
一実施例ではシステム１０は信号を通信する。信号は、フォトンを含む光パルスとして伝送される光信号に関連してもよい。光信号は、約１５５０ナノメートルの波長（それに応じた周波数）、例えば１０，２０，３０若しくは４０ギガビット毎秒又はそれ以上のデータレートを有するかもしれない。信号は情報をパケットで伝送する。パケットは特定の方式で送信用に組織されたデータの束で構成される。音声、データ、音響、ビデオ、マルチメディア、その他の情報又はそれらの適切な如何なる組み合わせをも含んでよい適切な如何なる情報もそのパケットが搬送してよい。
【００１４】
システム１０は複数の構成要素を含み、システムは、構成要素の動作を実行するのに適した適切な如何なる要素を含んでもよい。例えば或る構成要素は、ロジック、インターフェース、メモリ又はそれらの適切な如何なる組み合わせで構成されてもよい。「ロジック」は、ハードウエア、ソフトウエア、他のロジック(論理装置)又はそれらの適切な如何なる組み合わせに関連してもよい。あるロジックはデバイスの動作を管理し、例えばプロセッサで構成される。「プロセッサ」は動作を実行するためにデータを処理し且つ命令を実行する適切な如何なるデバイスにも関連してよい。
【００１５】
「インターフェース」は或るデバイスのロジックに関連し、そのデバイスは、そのデバイスに対する入力を受信し、そのデバイスから出力を送信し、入力若しくは出力又は双方の適切な処理を実行し、又はそれらの何らかの組み合わせの処理を実行し、更に、インターフェースは１つ以上のポート、変換ソフトウエア又はそれら双方を備えていてもよい。「メモリ」は情報を格納し且つ情報の抽出を促すロジックに関連し、メモリはランダムアクセスメモリ(RAM)、リードオンリメモリ(ROM)、磁気ドライブ、ディスクドライブ、コンパクトディスク(CD)ドライブ、ディジタルビデオディスク(DVD)ドライブ、取り外し可能なメディアストレージ、他の適切な何らかのデータ格納媒体又はそれらの適切な如何なる組み合わせで構成されてもよい。
【００１６】
図示の例では、システム１０は信号を受信機２８に送信する送信機２０を含む。送信機２０は変調器２４を含み、変調器はDPSK変調方式で信号をエンコードする。受信機２８は、エンコードされた信号をデコードする復調器３２と、復調器３２を監視するモニタリングシステム３６とを有する。
【００１７】
本実施例では、変調器２４はタイムスロットｋの間に入力ビットbkと共に信号を受信する。変調器２４はビットbkをエンコードし、変調信号mkを生成する。変調器２４は例えばマッハツェンダ変調器のような適切な如何なる変調器で構成されてもよい。変調器２４は、連続波光ビームを放出する光源を有し、その光ビームを変調し、ビットbkをエンコードする。
【００１８】
ビットbkはDPSK変調方式に従ってエンコードされてよい。その場合、一連のシンボル間の位相シフトがビットbkを表現する。ｎ位相シフトキーイング(n-PSK)変調の場合、ｎ個の異なる位相シフトレベルを用いてシンボル当たりPビットをエンコードする（ここで、n=2Pである）。一例として、４−PSK、即ち差動直交位相シフトキーイング(DQPSK)の場合、４つの位相差が使用され、シンボル当たり２ビットをエンコードする。一例として、位相シフト０°、９０°、１８０°及び−９０°が、「００」、「０１」、「１１」及び「１０」をエンコードするためにそれぞれ使用されてもよい。
【００１９】
送信機２０は変調された信号mkを受信機２８に送信する。受信機２８の復調器３２は信号mkを復調し、ビットbkを復元する。信号mkを復調するために、復調器３２は連続的なシンボル間の位相シフトを比較する。復調器３２は信号mkを分割し、変調器３２の変調器アームを伝搬する複数の信号を用意する。複数の信号中の１つの信号は、遅延信号を生成するために１シンボルだけ遅延させられる。遅延信号及び非遅延信号は重ね合わせられ、連続的なシンボルの位相を比較する。重ね合わせられた信号が非破壊的に及び破壊的に干渉することによって、位相が比較される。復調器はフォトディテクタを含み、フォトディテクタは干渉を検出し且つ干渉を表す検出信号を生成する。
【００２０】
一実施例では、復調器３２の特性は有効な復調をもたらすように調整されている。その特性が適切にあっていなければミスマッチが生じるかもしれない。モニタリングシステム３６はミスマッチを検出するために復調器３２を監視する。
【００２１】
モニタリングシステム３６は、適切な何らかの方法でミスマッチを捜すために復調器３２をモニタする。一実施例では、モニタリングシステム３６は復調器３２から信号Siを受信する。モニタリングシステム３６は信号S1及びS2間の相対的な遅延を導出する。この遅延は信号S1の波形の或るポイントでサンプリングを行うことを可能にし、そのポイントは、信号S2がサンプリングされる波形のポイントには対応しないポイントである。例えば信号S1は波形のピークでサンプリングされる一方、信号S2はその波形のピーク以外のポイントでサンプリングされる。モニタリングシステム３６は信号を非同期にサンプリングする。非同期サンプリングは、データレートに等しくないレートで（例えば、データレートより遅いレートで）サンプリングすることに関連する。モニタリングシステム３６はサンプルのグラフを生成し、そのグラフはミスマッチを検出するために使用されてよい。モニタリングシステム３６の例は、図２を参照しながら詳細に説明される。
【００２２】
本発明の範囲から逸脱せずに、修正、付加又は省略がシステム１０に対してなされてもよい。システム１０の構成要素は、具体的なニーズに応じて統合されてもよいし、分散されてもよい。更に、システム１０の動作はより多数の、より少数の又は他の装置で実行されてもよい。更に、システム１０の動作は適切な如何なる論理装置を用いて実行されてもよい。本願で使用されるように、「各々」は、或る集合中のメンバ各々又は或る集合の部分集合中のメンバ各々に関連する。
【００２３】
図２は、図１のシステムと共に使用されるモニタリングシステムを含むシステム例１００を示すブロック図である。一実施例によれば、モニタリングシステム３６は、復調器３２のミスマッチを検出するために、システム１０の復調器３２をモニタする。図示の例では、復調器３２はDPSK信号を復調するように使用されている。
【００２４】
復調器３２は１つ以上の復調モジュール１１０を含んでよい。図示の例では、復調器３２は１つの復調モジュール１１０を含む。復調モジュール１１０は、入力１２０、カプラ１２２、復調器アーム１３０、シンボル遅延要素１２４、位相遅延要素１２６、カプラ１２８及びフォトディテクタ１３２を図示される結合関係で含む。入力１２０は入力信号を受信し、入力信号はDPSK変調に従ってエンコードされている。カプラ１２２は入力信号を分割し、復調器アーム１３０に沿ってカプラ１２８に至る信号を生成する。
【００２５】
復調器アーム１３０ａのシンボル遅延要素１２４は、信号間に相対的なシンボル遅延を導入する。その差分は１シンボル長でもよく、破壊的な及び非破壊的な干渉を意図して信号を合わせるように選択されてよい。復調器アーム１３０ｂの位相遅延要素１２６は、信号間の相対的な位相遅延導入する。位相遅延は、連続的なシンボルに対応する位相の比較を可能にする。適切な如何なる位相遅延要素が導入されてもよく、例えば、位相レベル間の位相差に等しい位相差を導入する位相遅延要素でもよい。
【００２６】
カプラ１２８は復調器アーム１３０からの信号を合成する。フォトディテクタ１３２は、合成された信号の破壊的な及び非破壊的な干渉を検出し、その干渉に対応する検出信号を生成する。フォトディテクタ１３２はフォトダイオードで構成されてもよい。
【００２７】
モニタリングシステム３６は復調器３２のミスマッチを検出するのに使用される。第１の例として、復調器３２の復調器アームの遅延は、データレートのほぼ逆数に合わせられてもよい。変調器アームの遅延がデータレートの逆数程度でなければ、ビットレートミスマッチが生じるかもしれない。第２の例として、申し分のない建設的な及び破壊的な干渉をもたらすように、復調器の遅延は光源の波長に合わせられてもよい。復調器の遅延がレーザの波長に適合していなかったならば、復調器位相ミスマッチが生じるかもしれない。
【００２８】
第３の例として、検出器出力の位相は、差動検出器出力を生成するように実質的に等しく適合させられていてもよい。検出器出力の遅延が実質的に等しくなかった場合、検出器遅延ミスマッチが生じるかもしれない。第４の例として、複数のフォトディテクタは実質的に等しい感度に合わせられてもよい。振幅の不均衡は、検出器が近似的に等しい感度になってないことを示す。
【００２９】
モニタリングシステム３６は１つ以上のモニタリングモジュール１４０を含み、モニタリングモジュール１４０は復調モジュール１１０及びディスプレイ１６４をモニタする。図示の例によれば、モニタリングシステム３６は１つのモニタリングモジュール１４０を含む。
【００３０】
一実施例によれば、モニタリングモジュール１４０は信号パス１５０、遅延要素１５４、サンプラ１５６及びモニタプロセッサ１６０を図示の結合関係で含む。パス１５０は復調器３２のフォトディテクタ１３２から信号Siを受信する。図示の例では、パス１５０ａはフォトディテクタ１３２ａから信号S1を受信し、フォトディテクタ１３２ｂから信号S2を受信する。
【００３１】
遅延要素１５４は信号S1を遅らせることで信号S1及びS2間に相対的な遅延を導入する。この遅延は、信号S1及びS2を各自の波形の異なるポイントでサンプリングすることを可能にする。例えば信号S1は波形のピークでサンプリングされる一方、信号S2はその波形のピーク以外のポイントでサンプリングされる。何らかの適切な遅延が導入され、例えばDPSKについては１ビットの遅延が、DQPSKについては２ビットの遅延が導入されてもよい。
【００３２】
サンプラ１５６は信号S1,S2をサンプリングし、時間経過と共にビットシーケンスのサンプルを収集する。一実施例によれば、サンプラ１５６は信号S1,S2を非同期にサンプリングする。非同期サンプリングは、データレートに等しくないサンプリングレート（例えば、データレートより遅いレート）でサンプリングすることに関連する。例えば、１ギガヘルツデータレートの信号が１メガヘルツのサンプリングレートでサンプリングされるかもしれない。信号S1,S2の波形の様々なポイントがサンプリングされればよいので、信号S1,S2はデータレートより遅いサンプリングレートでサンプリングされてもよい。
【００３３】
モニタプロセッサ１６０はサンプラ１５６からのサンプルを収集し、ミスマッチを示す相対的な変化を検出する。モニタプロセッサ１６０はイメージデータを生成し、そのイメージデータはサンプルの蓄積状況を時間経過と共に示す。このイメージデータは、サンプルの中での相対的な変化を示すグラフ１６８を生成するのに使用される。グラフの具体例は、図４乃至図１０を参照しながら詳細に説明される。
【００３４】
ディスプレイ１６４はグラフ１６８を出力する適切な如何なる出力装置で構成されてもよい。ディスプレイ１６４の具体例は、ビジュアルディスプレイ、プリンタ又はグラフ１６８を出力する他の適切な装置で構成されてもよい。
【００３５】
本発明の範囲から逸脱せずに、修正、付加又は省略がモニタリングシステム３６に対してなされてもよい。モニタリングシステム３６の構成要素は、具体的なニーズに応じて統合されてもよいし、分散されてもよい。更に、モニタリングシステム３６の動作はより多数の、より少数の又は他の装置で実行されてもよい。更に、モニタリングシステム３６の動作は適切な如何なる論理装置を用いて実行されてもよい。
【００３６】
図３は、図１のシステム１０と共に使用されるモニタリングシステム３６を含む別のシステム例を示すブロック図である。図示の例では、復調器３２はDQPSK信号を復調するように使用される。図示の例では、復調器３２は復調モジュール１１０ａ，１１０ｂを含む。モニタリングシステム３６はモニタリングモジュール１４０ａ，１４０ｂを含む。モニタリングモジュール１４０ａは復調モジュール１１０ａをモニタし、モニタリングモジュール１４０ｂは復調モジュール１１０ｂをモニタする。
【００３７】
図４乃至図１０Ｃは、リファレンス及びテストグラフの具体例を示す。一実施例では、グラフの座標軸はフォトディテクタ１３２からの信号に対応する。例えば、ｘ座標軸はディテクタＸからの信号に対応し、ｙ座標軸はディテクタＹからの信号に対応する。座標軸は対応する信号の振幅を表現するために使用されてもよい。
【００３８】
一実施例によれば、リファレンスグラフは、復調器の特性が適切に合っていることを示し、適切に合致した復調器３２からのサンプルを表現する。テストグラフは、モニタされている復調器３２の特性を示し、実際の状況の下で動作している復調器３２からのサンプルを表現する。テストグラフはリファレンスグラフと比較され、ミスマッチを示す相対的な変化を検出する。
【００３９】
本発明の範囲から逸脱せずに、修正、付加又は省略がグラフに対してなされてもよい。例えば、座標軸及びグラフの軸線の単位は特定のニーズに応じて適宜選択されてよい。
【００４０】
図４は、DPSK変調器３２のリファレンスグラフ３１０の一例を示す。図示されているようにコーナー（隅）３１４は点(0,0),(0,1),(1,0)及び(1,1)を示す。軸線３１６は或るポイントから別のポイントへのビットシーケンスを示す。図示の例では、軸線３１６はビットシーケンス(0,0,1),(0,1,0),(1,0,0),(0,1,1),(1,0,1)及び(1,1,0)を表す。例えば、ポイント(0,0)からポイント(0,1)に至る軸線３１６はビットシーケンス(0,0,1)を表現する。ビットシーケンス(p,q,r)を表現する軸線３１６はｐ−ｑ−ｒのように表現される。ポイント(p,q)からポイント(r,s)に至る対角線３１６は対角線(pq-rs)のように表現される。
【００４１】
図５は、振幅の不均衡を示すテストグラフ３２０の一例を示す。ディテクタは実質的に等しい感度に合わせられる。振幅の不均衡は、ディテクタが近似的に等しい感度になってないことを示す。
【００４２】
本実施例では、軸線１−０−０はディテクタXの振幅範囲を示し、軸線０−０−１はディテクタYの振幅範囲を示す。軸線１−０−０は軸線０−０−１より短く、これは、ディテクタXがディテクタYより敏感でないことを示す。
【００４３】
図６Ａ乃至６Ｃは、ビットレートミスマッチを示すテストグラフの一例３３０及びリファレンスグラフ３１０を示す。復調器３２の復調器アームの遅延は、データレートの逆数程度に合わせられる。復調器アームの遅延がデータレートの逆数程度になっていなかった場合、ビットレートミスマッチが生じるかもしれない。
【００４４】
リファレンスグラフ３１０では、軸線０−１−０（軸線１−０−１に一致する）は実質的に直線である。しかしながらテスト信号３３０では、軸線０−１−０は実質的に直線になっておらず、ビットレートミスマッチを示している。テストグラフの軸線０−１−０（３３０ａ）はポイント（０，０）に向かう曲線であり、負のミスマッチを示す。この例では、テストグラフ３３０ａは−１０％のミスマッチを示す。テストグラフの軸線０−１−０（３３０ｂ）はポイント（１，１）に向かう曲線であり、正のミスマッチを示す。この例では、テストグラフ３３０ｂは＋１０％のミスマッチを示す。テストグラフの軸線０−１−１，１−１−０（３３０）もリファレンスグラフの軸線０−１−１，１−１−０（３１０）から逸脱している。
【００４５】
図７Ａ乃至７Ｃは、復調器位相ミスマッチを示すテストグラフの例３４０及びリファレンスグラフ３１０を示す。復調器アームの遅延は光源の波長に合わせられ、申し分のない千節的な及び破壊的な干渉をもたらす。復調器アームの遅延がレーザの波長に適合していなかったならば、復調器位相ミスマッチが生じる。
【００４６】
リファレンスグラフ３１０では、軸線０−１−０及び対角線００−１１は実質的に１つの直線になっている。しかしながらテストグラフ３４０では、軸線０−１−０及び対角線００−１１は実質的に１つの直線になっておらず、復調器位相ミスマッチを示している。
【００４７】
テストグラフ３４０の各軸線０−１−０は、点（０，１）乃至（１，０）に至る直線付近で点（０，１）乃至（１，０）に至る楕円を形成している。テストグラフ３４０の対角線００−１１各々は、点（０，０）乃至（１，１）に至る楕円を形成している。この例では、テストグラフ３４０ａは−１０°のミスマッチを示し、テストグラフ３４０ｂは＋１０°のミスマッチを示している。
【００４８】
テストグラフ３４０の軸線０−１−１及び１−１−０も、リファレンスグラフ３１０の軸線０−１−１及び１−１−０から逸脱している。
【００４９】
図８Ａ乃至８Ｃは、検出器遅延ミスマッチを示すテストグラフ３５０の例及びリファレンスグラフ３１０を示す。検出器出力の遅延は、差動検出器出力を生成するように実質的に等しくなるように合わせられる。検出器出力の遅延が実質的に等しくなっていなかった場合、検出器遅延ミスマッチが生じる。
【００５０】
リファレンスグラフ３１０では、軸線０−１−０及び対角線００−１１が実質的に１つの直線になっている。リファレンスグラフ３１０の軸線０−１−１及び１−１−０は特徴的な形状を示している。しかしながら、テストグラフ３５０では、軸線０−１−０及び対角線００−１１は実質的に１つの直線になっておらず、軸線０−１−１及び１−１−０は特徴的な形状を示しておらず、検出器遅延ミスマッチを示している。
【００５１】
テストグラフ３５０ａでは、軸線０−１−０は点（０，１）乃至（１，０）に至る楕円を形成し、対角線００−１１は点（０，０）乃至（１，１）に至る楕円を形成する。更に、軸線０−１−１及び１−１−０は、軸線０−１−０で示される方向につぶされており、負のミスマッチを示している。この例ではテストグラフ３５０ａは、−５ピコ秒（ｐｓ）のミスマッチを示している。
【００５２】
テストグラフ３５０ｂでは、軸線０−１−０は点（０，１）乃至（１，０）に至る楕円を形成し、対角線００−１１は点（０，０）乃至（１，１）に至る楕円を形成する。更に、軸線０−１−１及び１−１−０は、対角線００−１１で示される方向につぶされており、正のミスマッチを示している。この例ではテストグラフ３５０ｂは、＋５ｐｓのミスマッチを示している。
【００５３】
図９Ａ乃至９Ｃは、DQPSK復調器３２の復調位相ミスマッチを示すテストグラフ４１４及びリファレンスグラフ４１０の一例を示す。リファレンスグラフ４１０では、軸線４２０，４２２は実質的に一本の直線になっている。テスト信号４１４では、軸線４２０，４２２は実質的に一本の直線になっておらず、復調器位相ミスマッチを示している。テスト信号４１４ａでは、軸線４２０はｘの増加方向に位置する付加的な線４２４ａを有し、負のミスマッチを示す。この例ではテストグラフ４１４ａは−５°のミスマッチを示している。テスト信号４１４ｂでは、軸線４２０はｘの減少方向に位置する付加的な線４２４ｂを有し、正のミスマッチを示す。この例ではテストグラフ４１４ｂは＋５°のミスマッチを示している。
【００５４】
図１０Ａ乃至１０Ｃは、DQPSK復調器３２の検出器遅延ミスマッチを示すテストグラフ４３０の例及びリファレンスグラフ４１０を示す。リファレンスグラフ４１０では、軸線４２０及び４２２は特定の距離だけ離れている。テストグラフ４３０では、軸線４２０，４２２は特定の距離だけ離れているわけではなく、検出器遅延ミスマッチを示している。テストグラフ４３０ａでは、軸線４２２のサンプルは、テストグラフ４３０ｂの及びリファレンスグラフ４１０の軸線４２２のものより多くの大量の散乱を示し、負のミスマッチを示す。この例では、テストグラフ４３０ａは−１０ｐｓのミスマッチを示す。テストグラフ４３０ｂでは、軸線４２２のサンプルは、リファレンスグラフ４１０の軸線４２２のものよりは多いがテストグラフ４３０ｂの軸線４２２のものよりは少ない、という中程度の量の散乱を示し、正のミスマッチを示す。この例では、テストグラフ４３０ｂは＋１０ｐｓのミスマッチを示す。
【００５５】
本発明の実施例は１つ以上の技術的利点をもたらす。一実施例による技術的利点は、信号のデータレートより遅いレートで復調信号を非同期にサンプリングすることで、復調器が監視されることである。低いレートでのサンプリングは、モニタリングシステムのタイミング条件に要求をほとんど出さない。
【００５６】
一実施例による別の技術的利点は、復調器の様々なタイプのミスマッチが検出されることである。例えば、ビットレートミスマッチ、復調器の位相ミスマッチ、検出器の遅延ミスマッチ及び／又は振幅不均衡等が検出されてもよい。
【００５７】
以上本開示内容は、ある実施例及び一般的に関連する方法の観点から説明されたが、実施例及び方法の代替例及び順序置換は当業者にとって明白であろう。従って、上記実施例の説明は本開示内容を制限するものではない。特許請求の範囲で規定される本開示内容の精神及び範囲から逸脱せずに、他の変更例、他の置換例及び他の代替例も可能である。
【００５８】
以下、本発明により教示される手段を例示的に列挙する。
【００５９】
（付記１）
復調器をモニタするモニタリングシステムであって、
１つ以上のモニタリングモジュールと、
１つ以上のモニタプロセッサと、
を有し、１つのモニタリングモジュールは、復調器の１つ以上の復調モジュール中の１つの復調モジュールを監視し、前記モニタリングモジュールは、
前記復調モジュールからの第１信号及び第２信号を受信する複数の経路と、
前記第１信号及び前記第２信号間に相対的な遅延を導入する遅延要素と、
前記第１信号及び前記第２信号を非同期にサンプリングし、複数のサンプルを用意する複数のサンプラと、
を有し、前記１つ以上のモニタプロセッサは、前記１つ以上のモニタリングモジュールからの複数のサンプルを表現するイメージデータを生成し、前記イメージデータは前記復調器の１つ以上のミスマッチを示すようにしたモニタリングシステム。
【００６０】
（付記２）
前記第１信号及び前記第２信号が、あるデータレートを有し、
前記複数のサンプラが、前記データレートより遅いサンプリングレートで非同期にサンプリングを行う付記１記載のモニタリングシステム。
【００６１】
（付記３）
前記第１信号が第１波形を有し、
前記第２信号が第２波形を有し、
前記相対的な遅延が、前記第１波形の第１ポイントで且つ前記第２波形の第２ポイントでサンプリングすることを可能にし、前記第１ポイントは前記第２ポイントとは異なる付記１記載のモニタリングシステム。
【００６２】
（付記４）
前記イメージデータは、リファレンスグラフと比較されるテストグラフを生成し、前記リファレンスグラフは１つ以上のマッチした特性を示し、前記テストグラフ及び前記リファレンスグラフ間の相違は、前記１つ以上のミスマッチの内の１つのミスマッチを示す付記１記載のモニタリングシステム。
【００６３】
（付記５）
前記第１信号が前記復調モジュールの第１ディテクタから受信され、
前記第２信号が前記復調モジュールの第２ディテクタから受信され、
前記イメージデータはテストグラフを生成し、前記テストグラフは、
前記第１ディテクタに対応する第１座標軸と、
前記第２ディテクタに対応する第２座標軸と、
を有する付記１記載のモニタリングシステム。
【００６４】
（付記６）
前記イメージデータがテストグラフを生成し、前記テストグラフは複数の軸線を含み、１つの軸線は前記第１信号及び前記第２信号のビットシーケンスを表現する付記１記載のモニタリングシステム。
【００６５】
（付記７）
前記イメージデータは、ビットレートミスマッチを示す付記１記載のモニタリングシステム。
【００６６】
（付記８）
前記イメージデータは、復調器位相ミスマッチを示す付記１記載のモニタリングシステム。
【００６７】
（付記９）
前記イメージデータは、ディテクタ遅延ミスマッチを示す付記１記載のモニタリングシステム。
【００６８】
（付記１０）
前記イメージデータは、振幅不均衡を示す付記１記載のモニタリングシステム。
【００６９】
（付記１１）
復調器をモニタするモニタリング方法であって、
前記復調モジュールからの第１信号及び第２信号を受信するステップと、前記第１信号及び前記第２信号間に相対的な遅延を導入するステップと、前記第１信号及び前記第２信号を非同期にサンプリングし、複数のサンプルを用意するステップとを、復調器の１つ以上の復調モジュール中の復調モジュール各々について反復するステップと、
１つ以上の復調モジュールに関連する複数のサンプルを表現するイメージデータを生成するステップと、
を有し、前記イメージデータは前記復調器の１つ以上のミスマッチを示すようにしたモニタリング方法。
【００７０】
（付記１２）
前記第１信号及び前記第２信号が、あるデータレートを有し、
前記第１信号及び前記第２信号を非同期にサンプリングするステップでは、前記データレートより遅いサンプリングレートで非同期にサンプリングを行う付記１１記載のモニタリング方法。
【００７１】
（付記１３）
前記第１信号が第１波形を有し、
前記第２信号が第２波形を有し、
前記相対的な遅延が、前記第１波形の第１ポイントで且つ前記第２波形の第２ポイントでサンプリングすることを可能にし、前記第１ポイントは前記第２ポイントとは異なる付記１１記載のモニタリング方法。
【００７２】
（付記１４）
前記イメージデータは、リファレンスグラフと比較されるテストグラフを生成し、前記リファレンスグラフは１つ以上のマッチした特性を示し、前記テストグラフ及び前記リファレンスグラフ間の相違は、前記１つ以上のミスマッチの内の１つのミスマッチを示す付記１１記載のモニタリング方法。
【００７３】
（付記１５）
前記第１信号が前記復調モジュールの第１ディテクタから受信され、
前記第２信号が前記復調モジュールの第２ディテクタから受信され、
前記イメージデータはテストグラフを生成し、前記テストグラフは、
前記第１ディテクタに対応する第１座標軸と、
前記第２ディテクタに対応する第２座標軸と、
を有する付記１１記載のモニタリング方法。
【００７４】
（付記１６）
前記イメージデータがテストグラフを生成し、前記テストグラフは複数の軸線を含み、１つの軸線は前記第１信号及び前記第２信号のビットシーケンスを表現する付記１１記載のモニタリング方法。
【００７５】
（付記１７）
前記イメージデータは、ビットレートミスマッチを示す付記１１記載のモニタリング方法。
【００７６】
（付記１８）
前記イメージデータは、復調器位相ミスマッチを示す付記１１記載のモニタリング方法。
【００７７】
（付記１９）
前記イメージデータは、ディテクタ遅延ミスマッチを示す付記１１記載のモニタリング方法。
【００７８】
（付記２０）
前記イメージデータは、振幅不均衡を示す付記１１記載のモニタリング方法。
【００７９】
（付記２１）
復調器をモニタするモニタリングシステムであって、
前記復調モジュールからの第１信号及び第２信号を受信すること、前記第１信号及び前記第２信号間に相対的な遅延を導入すること、前記第１信号及び前記第２信号を非同期にサンプリングし、複数のサンプルを用意することを、復調器の１つ以上の復調モジュール中の復調モジュール各々について反復する手段と、
１つ以上の復調モジュールに関連する複数のサンプルを表現するイメージデータを生成する手段と、
を有し、前記イメージデータは前記復調器の１つ以上のミスマッチを示すようにしたモニタリングシステム。
【００８０】
（付記２２）
復調器をモニタするモニタリングシステムであって、
１つ以上のモニタリングモジュールと、
１つ以上のモニタプロセッサと、
を有し、１つのモニタリングモジュールは、復調器の１つ以上の復調モジュール中の１つの復調モジュールを監視し、前記モニタリングモジュールは、
前記復調モジュールからの第１信号及び第２信号を受信する複数の経路であって、前記第１信号及び前記第２信号は或るデータレートを有し、前記第１信号が第１波形を有し、前記第２信号が第２波形を有し、前記第１信号は前記復調モジュールの第１ディテクタから受信され、前記第２信号は前記復調モジュールの第２ディテクタから受信される複数の経路と、
前記第１信号及び前記第２信号間に相対的な遅延を導入する遅延要素であって、前記相対的な遅延が、前記第１波形の第１ポイントで且つ前記第２波形の第２ポイントでサンプリングすることを可能にし、前記第１ポイントは前記第２ポイントとは異なる遅延要素と、
前記第１信号及び前記第２信号をデータレートより遅いサンプリングレートで非同期にサンプリングし、複数のサンプルを用意する複数のサンプラと、
を有し、前記１つ以上のモニタプロセッサは、前記１つ以上のモニタリングモジュールからの複数のサンプルを表現するイメージデータを生成し、前記イメージデータは前記復調器の１つ以上のミスマッチを示し、前記イメージデータは、ビットレートミスマッチ、復調器位相ミスマッチ、ディテクタ遅延ミスマッチ及び振幅不均衡を示し、
前記イメージデータは、リファレンスグラフと比較されるテストグラフを生成し、前記リファレンスグラフは１つ以上のマッチした特性を示し、前記テストグラフ及び前記リファレンスグラフ間の相違は、前記１つ以上のミスマッチの内の１つのミスマッチを示し、前記テストグラフは、
前記第１ディテクタに対応する第１座標軸と、
前記第２ディテクタに対応する第２座標軸と、
複数の軸線とを含み、１つの軸線は前記第１信号及び前記第２信号のビットシーケンスを表現するようにしたモニタリングシステム。
【図面の簡単な説明】
【００８１】
【図１】差動位相シフトキーイング(DPSK)変調方式により信号を通信するシステムの一例を示すブロック図である。
【図２】図１のシステムと共に使用されるモニタリングシステムを含むシステム例を示すブロック図である。
【図３】図１のシステムと共に使用されるモニタリングシステムを含む別のシステム例を示すブロック図である。
【図４】DPSK変調器のリファレンスグラフ例を示す図である。
【図５】振幅の不均衡を示すテストグラフ例を示す図である。
【図６Ａ】ビットレートミスマッチを示すテストグラフ及びリファレンスグラフの一例を示す図である。
【図６Ｂ】ビットレートミスマッチを示すテストグラフ及びリファレンスグラフの一例を示す図である。
【図６Ｃ】ビットレートミスマッチを示すテストグラフ及びリファレンスグラフの一例を示す図である。
【図７Ａ】復調器位相ミスマッチを示すテストグラフ及びリファレンスグラフの一例を示す図である。
【図７Ｂ】復調器位相ミスマッチを示すテストグラフ及びリファレンスグラフの一例を示す図である。
【図７Ｃ】復調器位相ミスマッチを示すテストグラフ及びリファレンスグラフの一例を示す図である。
【図８Ａ】検出器遅延ミスマッチを示すテストグラフ及びリファレンスグラフの一例を示す図である。
【図８Ｂ】検出器遅延ミスマッチを示すテストグラフ及びリファレンスグラフの一例を示す図である。
【図８Ｃ】検出器遅延ミスマッチを示すテストグラフ及びリファレンスグラフの一例を示す図である。
【図９Ａ】DQPSK復調器の復調位相ミスマッチを示すテストグラフ及びリファレンスグラフの一例を示す図である。
【図９Ｂ】DQPSK復調器の復調位相ミスマッチを示すテストグラフ及びリファレンスグラフの一例を示す図である。
【図９Ｃ】DQPSK復調器の復調位相ミスマッチを示すテストグラフ及びリファレンスグラフの一例を示す図である。
【図１０Ａ】検出器遅延ミスマッチを示すテストグラフ及びリファレンスグラフの一例を示す図である。
【図１０Ｂ】検出器遅延ミスマッチを示すテストグラフ及びリファレンスグラフの一例を示す図である。
【図１０Ｃ】検出器遅延ミスマッチを示すテストグラフ及びリファレンスグラフの一例を示す図である。
【符号の説明】
【００８２】
１０  システム
２０  送信機
２４  変調器
２８  受信機
３２  復調器
３６  モニタリングシステム
１１０  復調モジュール
１２０  入力
１２２  カプラ
１２４  シンボル遅延要素
１２６  位相遅延要素
１２８  カプラ
１３０  復調器アーム
１３２  フォトディテクタ
１４０  モニタリングモジュール
１５０  信号パス
１５４  遅延要素
１５６  サンプラ
１６０  モニタプロセッサ
【図１】
2008092573.tif 000003
【図２】
2008092573.tif 000004
【図３】
2008092573.tif 000005
【図４】
2008092573.tif 000006
【図５】
2008092573.tif 000007
【図６Ａ】
2008092573.tif 000008
【図６Ｂ】
2008092573.tif 000009
【図６Ｃ】
2008092573.tif 000010
【図７Ａ】
2008092573.tif 000011
【図７Ｂ】
2008092573.tif 000012
【図７Ｃ】
2008092573.tif 000013
【図８Ａ】
2008092573.tif 000014
【図８Ｂ】
2008092573.tif 000015
【図８Ｃ】
2008092573.tif 000016
【図９Ａ】
2008092573.tif 000017
【図９Ｂ】
2008092573.tif 000018
【図９Ｃ】
2008092573.tif 000019
【図１０Ａ】
2008092573.tif 000020
【図１０Ｂ】
2008092573.tif 000021
【図１０Ｃ】
2008092573.tif 000022